(57)【要約】【課題】サービスの提供は、サービスのサービス・パラメータ値の設定を含み、サービス・パラメータ値はサービスのメトリックを表す。【解決手段】サービス・パラメータ値は、第１の伝送機構の第１のワイド・エリア・ネットワークを構成するよう動作可能な第１のネットワーク・パラメータ値にマッピングされる。サービスは第１の伝送機構を介して提供される。サービス・パラメータ値は、第２の伝送機構の第２のワイド・エリア・ネットワークを構成するよう動作可能な第２のネットワーク・パラメータ値にマッピングされる。サービスは第２の伝送機構を介して提供される。【選択図】図１
2007116705.tif 000002
【特許請求の範囲】
【請求項１】
サービスを提供する方法であって、
サービスの1つ又は複数のサービス・パラメータ値を設定する工程であって、サービス・パラメータ値が前記サービスのメトリックを表す工程と、
前記1つ又は複数のサービス・パラメータ値を１つ又は複数の第１のネットワーク・パラメータ値にマッピングする工程であって、第１のネットワーク・パラメータ値が、第１の伝送機構の第１のワイド・エリア・ネットワーク・ポートを構成するよう動作可能である工程と、
前記サービスを前記第１の伝送機構を介して提供する工程と、
前記1つ又は複数のサービス・パラメータ値を１つ又は複数の第２のネットワーク・パラメータ値にマッピングする工程であって、第２のネットワーク・パラメータ値が、第２の伝送機構の第２のワイド・エリア・ネットワーク・ポートを構成するよう動作可能である工程と、
前記サービスを前記第２の伝送機構を介して提供する工程とを備えることを特徴とする方法。
【請求項２】
請求項１記載の方法であって、前記1つ又は複数のサービス・パラメータ値を前記1つ又は複数の第１のネットワーク・パラメータ値にマッピングする工程が、
ネットワーク・パラメータ値に相当するサービス・パラメータ値を受ける工程と、
前記サービス・パラメータ値を前記ネットワーク・パラメータ値にリンクする旨のコマンドを実行する工程とを更に備えることを特徴とする方法。
【請求項３】
請求項１記載の方法であって、前記1つ又は複数のサービス・パラメータ値を前記1つ又は複数の第１のネットワーク・パラメータ値にマッピングする工程が、
システムVインタフェース定義（SVID）モジュールを用いて前記1つ又は複数のサービス・パラメータ値をマッピングする工程を更に備えることを特徴とする方法。
【請求項４】
請求項１記載の方法であって、前記1つ又は複数のサービス・パラメータ値を前記1つ又は複数の第１のネットワーク・パラメータ値にマッピングする工程が、
疑似ワイヤ・エミュレーション・モジュールを用いて前記1つ又は複数のサービス・パラメータ値をマッピングする工程を更に備えることを特徴とする方法。
【請求項５】
請求項１記載の方法であって、前記第１の伝送機構を介して前記サービスを提供する工程が、
同期光ネットワーク（SONET）伝送機構を介して前記サービスを提供する工程を更に備えることを特徴とする方法。
【請求項６】
請求項１記載の方法であって、前記第１の伝送機構を介して前記サービスを提供する工程が、
レジリエント・パケット・リング(RPR)オーバー同期光ネットワーク（SONET）伝送機構を介して前記サービスを提供する工程を更に備えることを特徴とする方法。
【請求項７】
サービスを提供するシステムであって、
ローカル・エリア・ネットワークと通信するよう動作可能なインタフェースと、
該インタフェースに結合され、
サービスの1つ又は複数のサービス・パラメータ値を設定し、サービス・パラメータ値が前記サービスのメトリックを表し、
前記1つ又は複数のサービス・パラメータ値を１つ又は複数の第１のネットワーク・パラメータ値にマッピングし、第１のネットワーク・パラメータ値が、第１の伝送機構の第１のワイド・エリア・ネットワーク・ポートを構成するよう動作可能であり、
前記サービスを前記第１の伝送機構を介して提供し、
前記1つ又は複数のサービス・パラメータ値を１つ又は複数の第２のネットワーク・パラメータ値にマッピングし、第２のネットワーク・パラメータ値が、第２の伝送機構の第２のワイド・エリア・ネットワーク・ポートを構成するよう動作可能であり、
前記サービスを前記第２の伝送機構を介して提供するよう動作可能なプロセッサとを備えることを特徴とするシステム。
【請求項８】
サービスを提供するロジックであって、該ロジックは媒体内に実施され、
サービスの1つ又は複数のサービス・パラメータ値を設定し、サービス・パラメータ値が前記サービスのメトリックを表し、
前記1つ又は複数のサービス・パラメータ値を１つ又は複数の第１のネットワーク・パラメータ値にマッピングし、第１のネットワーク・パラメータ値が、第１の伝送機構の第１のワイド・エリア・ネットワーク・ポートを構成するよう動作可能であり、
前記サービスを前記第１の伝送機構を介して提供し、
前記1つ又は複数のサービス・パラメータ値を１つ又は複数の第２のネットワーク・パラメータ値にマッピングし、第２のネットワーク・パラメータ値が、第２の伝送機構の第２のワイド・エリア・ネットワーク・ポートを構成するよう動作可能であり、
前記サービスを前記第２の伝送機構を介して提供するよう動作可能であることを特徴とするロジック。
【請求項９】
サービスを提供するシステムであって、
サービスの1つ又は複数のサービス・パラメータ値を設定する手段であって、サービス・パラメータ値が前記サービスのメトリックを表す手段と、
前記1つ又は複数のサービス・パラメータ値を１つ又は複数の第１のネットワーク・パラメータ値にマッピングする手段であって、第１のネットワーク・パラメータ値が、第１の伝送機構の第１のワイド・エリア・ネットワーク・ポートを構成するよう動作可能である手段と、
前記サービスを前記第１の伝送機構を介して提供する手段と、
前記1つ又は複数のサービス・パラメータ値を１つ又は複数の第２のネットワーク・パラメータ値にマッピングする手段であって、第２のネットワーク・パラメータ値が、第２の伝送機構の第２のワイド・エリア・ネットワーク・ポートを構成するよう動作可能である手段と、
前記サービスを前記第２の伝送機構を介して提供する手段とを備えることを特徴とするシステム。
【請求項１０】
サービスを提供する方法であって、
サービスの1つ又は複数のサービス・パラメータ値を設定する工程であって、サービス・パラメータ値が前記サービスのメトリックを表す工程と、
前記1つ又は複数のサービス・パラメータ値を１つ又は複数の第１のネットワーク・パラメータ値にマッピングする工程であって、第１のネットワーク・パラメータ値が、第１の伝送機構の第１のワイド・エリア・ネットワーク・ポートを構成するよう動作可能であり、前記1つ又は複数のサービス・パラメータ値を前記１つ又は複数の第１のネットワーク・パラメータ値にマッピングする工程が、
ネットワーク・パラメータ値に相当するサービス・パラメータ値を受ける工程と、
前記サービス・パラメータ値を前記ネットワーク・パラメータ値にリンクする旨のコマンドを実行する工程と、
システムVインタフェース定義（SVID）モジュールを用いて前記1つ又は複数のサービス・パラメータ値をマッピングする工程と、
疑似ワイヤ・エミュレーション・モジュールを用いて前記1つ又は複数のサービス・パラメータ値をマッピングする工程とを更に備える工程と、
前記第１の伝送機構を介して前記サービスを提供する工程であって、前記第１の伝送機構を介して前記サービスを提供する工程が、
同期光ネットワーク（SONET）伝送機構を介して前記サービスを提供する工程と、
レジリエント・パケット・リング(RPR)オーバー同期光ネットワーク（SONET）伝送機構を介して前記サービスを提供する工程とを更に備える工程と、
前記1つ又は複数のサービス・パラメータ値を１つ又は複数の第２のネットワーク・パラメータ値にマッピングする工程であって、第２のネットワーク・パラメータ値が、第２の伝送機構の第２のワイド・エリア・ネットワーク・ポートを構成するよう動作可能である工程と、
前記サービスを前記第２の伝送機構を介して提供する工程とを備えることを特徴とする方法。
【発明の詳細な説明】
【技術分野】
【０００１】
本発明は一般に光ネットワークの分野に関し、特に、伝送機構へのサービスのマッピングに関する。
【背景技術】
【０００２】
通信ネットワークを用いて、いくつかの適切な伝送機構のうちの何れかを介してユーザにサービスを提供することができる。サービスを伝送機構にマッピングしてサービスを提供することができる。しかし、サービスをマッピングする既知の手法は、特定の場合には非効率的であり得る。サービスをマッピングするのに効率的な方法を有することが一般的に望ましいものである。
【発明の開示】
【発明が解決しようとする課題】
【０００３】
本発明によれば、サービスをマッピングする従来の手法に関連した欠点及び課題を減らすか、又はなくすことができる。
【課題を解決するための手段】
【０００４】
本発明の一実施例によれば、サービスの提供は、サービスのサービス・パラメータ値ｎ設定を含み、サービス・パラメータ値はサービスのメトリックを表す。サービス・パラメータ値は、第１の伝送機構の第１のワイド・エリア・ネットワ―ク・ポートを構成するよう動作可能な第１のネットワーク・パラメータ値にマッピングされる。サービスは、第１の伝送機構を介して提供される。サービス・パラメータ値は、第２の伝送機構の第２のワイド・エリア・ネットワ―ク・ポートを構成するよう動作可能な第２のネットワーク・パラメータ値にマッピングされる。サービスは、第２の伝送機構を介して提供される。
【０００５】
本発明の特定の実施例は、技術上の1つ又は複数の利点を提供することができる。一実施例の技術上の利点は、サービス・パラメータを用いてサービスを伝送機構にマッピングすることができることであり得る。サービスのサービス・パラメータ値を伝送機構のネットワーク・パラメータ値にマッピングして伝送機構を介してサービスを提供することができる。同じサービス・パラメータ値を用いて、別々の伝送機構を介してサービスを提供することができる。よって、サービス・パラメータは、効率的なサービス・マッピング及びサービス再マッピングを可能にし得る。
【０００６】
本発明の特定の実施例は、上記技術上の利点を何ら含まない場合があり、そうした利点の一部又は全部を含む場合がある。技術上の他の1つ又は複数の利点は、本明細書の図面及び説明、並びに特許請求の範囲によって当業者に容易に明らかであり得る。
【発明を実施するための最良の形態】
【０００７】
本発明、並びにその特徴及び利点のより徹底的な理解のために、次に、添付図面とともに解釈される以下の説明を参照する。
【実施例】
【０００８】
本発明の実施例及びその利点は、添付図面の図１乃至図４を参照することによって最も深く理解される。同じ符号を種々の添付図面の同様な部分及び相当する部分に用いている。
【０００９】
図１は、サービスが伝送機構にマッピングされる、システム１０の一実施例を示す構成図である。この実施例によれば、サービス・パラメータ値を用いてサービスを表すことができる。システム１０は、伝送機構のネットワーク・パラメータ値にサービスのサービス・パラメータ値をマッピングして伝送機構を介してサービスを提供することができる。同じサービス・パラメータ値を用いて、別々の伝送機構を介してサービスを提供することができる。よって、システム１０によって、サービスの効率的なマッピング及び再マッピングが可能になり得る。
【００１０】
一実施例によれば、システム１０は情報を信号によって通信する。信号は、光パルスとして伝送される光信号を表し得る。例として、光信号は、約1550ナノメートルの周波数、及び、毎秒１０ギガビットの、２０ギガビットの、３０ギガビットの、又は４０ギガビットを超えるデータ・レートを有し得る。
信号は情報をパケットで通信することができる。パケットは、伝送のために特定のやり方で編成されたデータ群を備え得る。フレームは、伝送のために特定のやり方で編成された1つ又は複数のパケットのペイロードを備え得る。パケットは、何れかの適切な情報（音声、データ、オーディオ、ビデオ、マルチメディア、制御、信号、他の情報、又はこれらの何れかの組み合わせなど）を搬送することができる。パケットは、何れかの適切な多重化パケット（時分割多重化（TDM）パケットなど）を備え得る。
【００１１】
システム１０を用いてサービスをユーザに提供することができる。サービスは、サービス・プロバイダによってユーザに提供される通信サービスを表し得る。サービスは、サービス・プロバイダがサービスをユーザに提供するうえで要求される合意サービス・レベルを有し得る。合意サービス・レベルは、サービスが満たすことが要求される制約を表すメトリックを用いて指定することができる。特定のサービスに対する制約は、メトリックの特定メトリック値を有し得る。
【００１２】
メトリックは、サービスの帯域幅、可用性、応答、提供、又は他の局面に対する制約を表し得る。帯域幅の制約例は、保証帯域幅を含み得る。可用性の制約例は、平均可用性、平均故障回復時間又は最大故障回復時間、及び平均停止期間又は最大停止期間を含み得る。応答の制約例は、平均遅延又は最大遅延、平均応答時間又は最大応答時間、及び平均レーテンシ又は最大レーテンシを含み得る。提供の制約例は、平均データ・レート又は最小データ・レートを含み得る。
【００１３】
図示した実施例によれば、システム１０は、ローカル・エリア・ネットワーク（LAN）側１２及びワイド・エリア・ネットワーク（WAN）側１４を有する。ローカル・エリア・ネットワークは、限定された領域（建物やキャンパスなど）内の通信装置を結合する通信ネットワークを表し得る。通常、ローカル・エリア・ネットワークの装置は、ネットワークの外部に情報を伝送することなくお互いに情報を直接、伝送することによってお互いに通信することができる。ローカル・エリア・ネットワークは、何れかの適切なプロトコル（例えば、イーサネット（登録商標）・プロトコル）によって動作することができる。
【００１４】
ワイド・エリア・ネットワークは、ローカル・エリア・ネットワークの先の領域に延びる通信ネットワークを表し得る。ワイド・エリア・ネットワークは、メトロポリタン・エリア、全国エリア、又は国際エリアを包含し得る。ローカル・エリア・ネットワークの装置は、ワイド・エリア・ネットワークを介して情報を伝送することによって別のローカル・エリア・ネットワークの装置に通信することができる。
【００１５】
図示した実施例によれば、LAN側１２は、１つ又は複数のネットワーク・エレメント１６、及び1つ又は複数のLANポート２０を含む。ネットワーク・エレメント１６は、LANポート２０との間でパケットをルーティングするよう動作可能な何れかの適切な装置を表し得る。ネットワーク・エレメント１６の例は、高密度波長分割多重化装置（DWDM）、アクセス・ゲートウェイ、エンドポイント、ソフトスイッチ・サーバ、トランク・ゲートウェイ、アクセス・サービス・プロバイダ、インターネット・サービス・プロバイダや、LANポート２０との間でパケットをルーティングするよう動作可能な他の装置を含む。LANポート２０は、ローカル・エリア・ネットワークのポートを表し得るものであり、イーサネット（登録商標）・ポートを備え得る。
【００１６】
図示した実施例によれば、WAN側１４は、１つ又は複数のWANポート２８、ファイバ３０、及び1つ又は複数のネットワーク３２を含む。WANポート２８はワイド・エリア・ネットワークのポートを表し得るものであり、ネットワーク３２と通信するよう動作可能なポートを備え得る。
【００１７】
ファイバ３０は、信号を伝送するよう動作可能な何れかの適切なファイバを表し得る。一実施例によれば、ファイバ３０は光ファイバを表し得る。光ファイバは通常、石英ガラス又はプラスチックでできたケーブルを備える。ケーブルは、内部コアの周りに外部クラッド材料を有し得る。内部コアは、外部クラッド材料よりもわずかに高い屈折率を有し得る。ファイバの屈折特性は、ファイバの内部に光信号を保つよう作用する。
【００１８】
ネットワーク３２は、何れかの適切な本数のファイバ３０、例えば、2本のファイバ３０を有し得る。例として、第１のファイバ３０はネットワーク３２を一方の方向に横断し、第２のファイバはネットワーク３２を他方の方向に横断する。リング・セグメントは、ネットワーク・エレメント間のファイバ３２の一部分を表し得るものであり、リング・セグメントによって結合される特定のネットワーク・エレメント・ポートによって表し得る。
【００１９】
ネットワーク３２は、リング形状を有する、リング型の通信装置ネットワークを表し得る。一実施例によれば、ネットワーク３２は、光ファイバ・リング・ネットワークを備え得る。ネットワーク３２は特定の伝送機構を利用し得る。例として、伝送機構は、伝送プロトコル（同期光ネットワーク（SONET）プロトコル、疑似ワイヤ・エミュレーション（PWE）オーバーSONETプロトコルやレジリエント・パケット・リング（RPR）オーバーSONETプロトコルなど）によって識別することができる。
【００２０】
一実施例によれば、システム１０は、サービスを提供するようパラメータをマッピングするマッピング・モジュール２４を含み得る。この実施例によれば、LANポート２０を構成するためのサービス・パラメータを用いて、LAN側１２のサービスのメトリックを表すことができる。メトリックはサービス・パラメータに相当し得るものであり、サービスのメトリック値は、サービス・パラメータのサービス・パラメータ値を用いて表すことができる。WANポート２８を構成するためのネットワーク・パラメータを用いて、WAN側１４のネットワーク３２のサービスのメトリックを表すことができる。サービスのサービス・パラメータ値をネットワーク・パラメータ値にマッピングしてサービスのメトリックを表すことができる。
【００２１】
別々の伝送機構は、同じメトリック値に対して別々のネットワーク・パラメータ値を有し得る。一実施例によれば、同じサービス・パラメータを用いて、別々の伝送機構を有するネットワークのメトリックを表すことができる。例として、サービス・パラメータ値を、第１の伝送機構を備えたネットワークの第１のネットワーク・パラメータ値にマッピングすることができ、同じサービス・パラメータ値を、第２の伝送機構を備えたネットワークの第２のネットワーク・パラメータ値にマッピングすることができる。サービス・パラメータによって、第１の伝送機構から第２の伝送機構へのサービスの効率的な再マッピングが可能になり得る。
【００２２】
一実施例によれば、汎用的なコマンド群を用いて、サービス・パラメータ値を、別々の伝送機構の別々のネットワーク・パラメータ値にリンクすることができる。コマンドは、何れかの適切なやり方によって（例えば、トラザクション言語１（TL1）のコマンド、簡易ネットワーク管理プロトコル（SNMP）のコマンド、コマンド・ライン・インタフェース（CLI）のコマンドとして、又は、他の適切なやり方によって）備えることができる。コマンドによって、下にある伝送機構とは無関係にサービスをマッピングすることが可能になる。よって、サービスは、開放型システム相互接続（OSI）モデルのレイヤ３でのパラメータによってではなくレイヤ２でのパラメータによって定義することができる。
【００２３】
この実施例によれば、ユーザは、サービスのサービス・パラメータ値を入力することによってマッピングを開始することができる。あるいは、ユーザは、サービスの選択（それによってサービス・パラメータ値を自動的に入力することができる）によってマッピングを開始することができる。コマンドは、サービス・パラメータ値を適切なネットワーク・パラメータ値にリンクするよう動作し得る。コマンド群は何れかの適切なコマンドを含み得る。
【００２４】
システム１０の構成部分は、ロジック、インタフェース、メモリ、他の構成部分、又はそれらの何れかの適切な組み合わせを含み得る。「ロジック」は、ハードウェア、ソフトウェア、他のロジック、又はそれらの何れかの適切な組み合わせを含み得る。特定のロジックは装置の動作を管理し得るものであり、例えば、プロセッサを備え得る。「プロセッサ」は、命令を実行し、データを操作して動作を行うよう動作可能な何れかの適切な装置であり得る。
【００２５】
「インタフェース」は、装置に対する入力を受ける工程、装置からの出力を送る工程、入力若しくは出力又は両方の適切な処理を行う工程、又はこれらの工程の何れかの組み合わせを行うよう動作可能な装置ロジックを表し得る。「メモリ」は、情報を記憶し、情報の取り出しを容易にするよう動作可能なロジックを表し得るものであり、ランダム・アクセス・メモリ（ＲＡＭ）、リード・オンリー・メモリ（ＲＯＭ）、磁気ドライブ、ディスク・ドライブ、コンパクト・ディスク（ＣＤ）ドライブ、ディジタル・ビデオ・ディスク（ＤＶＤ）ドライブ、リムーバブル・メディア記憶装置、何れかの他の適切なデータ記憶媒体、又はこれらの何れかの組み合わせを備え得る。
【００２６】
修正、追加又は省略を、本発明の範囲から逸脱することなくネットワーク・システム１０に行うことができる。ネットワーク・システム１０の構成部分は、特定のニーズによって一体化しても分けてもよい。更に、ネットワーク・システム１０の動作は、より多くの装置、より少ない装置、又は他の装置によって行ってもよい。更に、ネットワーク・システム１０の動作は、何れかの適切なロジックを用いて行うことができる。本明細書及び特許請求の範囲記載の「each」は、集合の各要素、又は集合の部分集合の各要素を表す。
【００２７】
図２は、同期光ネットワーク（SONET）伝送機構を用いるWAN側のアクセス・サービスにサービスをマッピングする例示的なシステム４０を示す構成図である。図示した実施例によれば、システム４０は、図示したように結合されたネットワーク・エレメント４８、ポート・システム５０、ファイバ５２、スイッチ２４、及びネットワーク５８を含み得る。
【００２８】
ネットワーク・エレメント４８は、図１のネットワーク・エレメント１６と実質的に同じであり得る。ポート・システム５０は、ＬＡＮ側機器をＷＡＮ側機器に結合するよう動作するインタフェースを表し得る。例として、ポート・システム５０は、ＬＡＮ側ネットワーク・エレメント４８をＷＡＮ側スイッチ５４に結合するよう動作し得る。
【００２９】
ポート・システム５０は、ＬＡＮ側機器をＷＡＮ側機器に結合するよう動作可能な構成部分を含み得る。図示した実施例によれば、ポート・システム５０は、図示したように結合された1つ又は複数のローカル・エリア・ネットワーク（ＬＡＮ）ポート６２、レイヤ２（Ｌ２）インタフェース（ＩＦ）６６、システムＶインタフェース定義（SVID）モジュール７０、及びフレーム・オーバーSONET（FOS）ポート７４を含む。
【００３０】
LANポート６２は図１のLANポート２０と実質的に同じであり得るものであり、イーサネット（登録商標）・ポートを備え得る。レイヤ２インタフェース６６はデータ・リンク層インタフェースを表し得る。レイヤ２インタフェース６６は、通信回線の管理（例えば、メッセージ・エラーの検出及び訂正を伴い得る）を行うよう動作し得る。
【００３１】
システムVインタフェース定義（SVID）モジュール７０は、別々のプラットフォーム間のソース・コード移植性を可能にするモジュールを表し得る。例として、SVIDモジュール７０は、システムVインタフェース定義によって動作するモジュールを表し得る。フレーム・オーバーSONET（FOS）ポート７４などのWANポートは、ポート・システム５０をファイバ５２に結合するよう動作可能なインタフェースを表し得る。
【００３２】
ポート・システム５０は、何れかの適切な組み合わせにおける、アグリゲーション・ポート・システム50a、トランク・ポート・システム50b、ポイント・ツー・ポイント・ポート・システム50c、又は他のポート・システムのうちの1つ若しくは複数を含み得る。アグリゲーション・ポ―ト・システム50aは、WANリンクや別のポート・システム５０などの単一のリンクに2つ以上のLANリンクを結合するよう動作し得る。LANリンクは、個々のLANポート６２を多重化することによって結合することができる。LANポートは、何れかの適切な手法（例えば、マルチプロトコル・ラベル・スイッチング（MPLS）手法、仮想ローカル・エリア・ネットワーク（VLAN）手法やジェネリック・フレーミング・プロシージャ（GFP）手法）によって多重化することができる。
【００３３】
トランク・ポート・システム50bは、2つ以上のリンク（2つ以上のWANリンクやポート・システム５０など）に単一のLANリンクを結合することができる。例として、トランク・ポート・システム50bは、2つ以上のアグリゲート・ポート・システム、ポイント・ツー・ポイント・システム又は他のポート・システムにLANポート６２を結合することができる。ポイント・ツー・ポイント・システム50eは、単一のリンク（WANリンク、LANリンクやポート・システム５０など）に単一のLANリンクを結合することができる。
【００３４】
ファイバ５２は、図１のファイバ３０と実質的に同じであり得るものであり、光ファイバを備え得る。スイッチ５４は、光信号をスイッチングするよう動作可能な光ファイバ・スイッチ（例えば、SONET/SDHスイッチ）を表し得る。ネットワーク５８は、図１のネットワーク３２と実質的に同じであり得るものであり、光ネットワーク（例えば、ＳＯＮＥＴネットワーク）を備え得る。
【００３５】
動作の一実施例によれば、ポート・システム５０を用いて、ＬＡＮ側機器からＷＡＮ側機器にサービスをマッピングすることができる。この実施例によれば、ＬＡＮポート６２を作成することができる。ＳＶＩＤモジュール７０を用いて、ＬＡＮ側サービス・パラメータ値をＷＡＮ側ネットワーク・パラメータ値にマッピングすることによってポート・システム５０を構成することができる。ＦＯＳポート７４などのＷＡＮポートは、ＳＶＩＤモジュール７０とＦＯＳポート７４との間に作成することができる。ＦＯＳポート７４は次いで、スイッチ５４にクロスコネクトすることができる。ＷＡＮ側からのフローは個々にラベリングすることができ、ＬＡＮ側からのフローは、伝送機構を識別するラベルによって個々にラベリングすることができる。何れかの適切なパラメータを用いることができ、何れかの適切なサービス・パラメータを何れかの適切なネットワーク・パラメータ値にマッピングすることができる。
【００３６】
修正、追加又は省略を、本発明の範囲から逸脱することなくシステム４０に行うことができる。システム４０の構成部分は、特定のニーズに応じて一体化させても分けてもよい。更に、システム４０の動作は、より多くのモジュール、より少ないモジュール又は他のモジュールによって行うことができる。更に、システム４０の動作は、ソフトウェア、ハードウェア、他のロジック、又はそれらの何れかの適切な組み合わせを備える何れかの適切なロジックを用いて行うことができる。
【００３７】
図３は、疑似ワイヤ・エミュレーション（ＰＷＥ）オーバーＳＯＮＥＴ伝送機構を用いるＷＡＮ側のアクセス・サービスにサービスをマッピングする例示的なシステム１４０を示す構成図である。図示した実施例によれば、システム１４０は、図示したように結合されたネットワーク・エレメント１４８、ポート・システム１５０、ファイバ１５２、スイッチ１５４、及びネットワーク１５８を含み得る。
【００３８】
ネットワーク・エレメント１４８は、図１のネットワーク・エレメント１６と実質的に同じであり得る。ポート・システム１５０は、ＬＡＮ側機器をＷＡＮ側機器に結合するインタフェースを表し得る。例として、ポート・システム５０は、ＬＡＮ側ネットワーク・エレメント１４８をＷＡＮ側スイッチ１５４に結合するよう動作し得る。
【００３９】
ポート・システム１５０は、ＬＡＮ側機器をＷＡＮ側機器に結合するよう動作可能な構成部分を含み得る。図示した実施例によれば、ポート・システム５０は、図示したように結合された1つ又は複数のローカル・エリア・ネットワーク（ＬＡＮ）ポート１６２、レイヤ２（Ｌ２）インタフェース（ＩＦ）１６６、疑似ワイヤ・エミュレーション（ＰＷＥ）モジュール１６８、ＰＷＥポート１７０、及びフレーム・オーバーＳＯＮＥＴ（ＦＯＳ）ポート１７４を含む。
【００４０】
ＬＡＮポート１６２は、ＬＡＮポート２０と実質的に同じであり得るものであり、イーサネット（登録商標）・ポートを備え得る。レイヤ２インタフェースは、データ・リンク・レイヤ・インタフェースを表し得る。レイヤ２インタフェース１６６は、通信回線の管理（例えば、メッセージ・エラーの検出及び訂正を伴い得る）を行うよう動作し得る。
【００４１】
ＰＷＥモジュール１６８は、パケット交換ネットワーク（ＰＳＮ）を介したサ―ビス（例えば、非同期転送モード（ＡＴＭ）、フレーム・リレー、又はイーサネット（登録商標）・サービス）の属性をエミュレートすることができる。ＰＷＥモジュール１６８は、疑似ワイヤ・エミュレーション・エッジ・ツー・エッジ（ＰＷＥ３）手法によって行うことができる。ＰＷＥモジュール１６８は、サービスの挙動及び特性をエミュレートするうえで適切な何れかの動作を行うことができる。例えば、ＰＷＥモジュール１６８は、入力ポートに到達するサービス特有パケットをパケット化する工程、パス又はトンネルの両端でパケットを搬送する工程、パケットのタイミング及び順序を管理する工程、サービスの挙動及び特性をエミュレートするうえで適切な何れかの動作を行う工程、又は、それらの工程の何れかの組み合わせを行うことができる。ＬＡＮ側からは、ＰＷＥモジュール１６８は、選ばれるサービスの非共有リンクとして認識され得る。
【００４２】
ＷＡＮポートは、PWEポート１７０及びフレーム・オーバーSONET（FOS）ポート１７４を含む。PWEポート１７０は、PWE3手法によって動作することができる。フレーム・オーバーSONETポート１７４は、ポート・システム５０をファイバ５２に結合するよう動作可能なインタフェースを表し得る。
【００４３】
ポート・システム１５０は、何れかの適切な組み合わせにおける、アグリゲーション・ポート・システム150a、トランク・ポート・システム150b、ポイント・ツー・ポイント・ポート・システム150c、又は何れかのポート・システムの1つ若しくは複数を含み得る。アグリゲーション・ポート・システム150a、トランク・ポート・システム150b、及びポイント・ツー・ポイント・システム150cは、図２のアグリゲーション・ポート・システム50a、トランク・ポート・システム50b、ポイント・ツー・ポイント・システム50cのそれぞれと実質的に同じであり得る。
【００４４】
ファイバ１５２は、図１のファイバ３０と実質的に同じであり得るものであり、光ファイバを備え得る。スイッチ１５４は、光信号をスイッチングするよう動作可能な光ファイバ・スイッチ（例えば、SONET/SDHスイッチ）を表し得る。ネットワーク１５８は、図１のネットワーク３２と実質的に同じであり得るものであり、光ネットワーク（例えば、SONETネットワーク）を備え得る。
【００４５】
動作の一実施例によれば、ポート・システム１５０を用いて、LAN側機器からWAN側機器にサービスをマッピングすることができる。この実施例によれば、LANポート１６２を作成することができる。PWEモジュール１６８を用いて、LAN側サービス・パラメータ値をWAN側ネットワーク・パラメータ値にマッピングすることによってポート・システム１５０を構成することができる。PWEポート１７０やFOSポート１７４などのWANポートを、PWEモジュール１７０とFOSポート１７４との間に作成することができる。FOSポート１７４は次いで、スイッチ１５４にクロスコネクトすることができる。WAN側からのフローは個々にラベリングすることができ、LAN側からのフローは、伝送機構を識別するラベルによって個々にラベリングすることができる。何れかの適切なパラメータを用いることができ、何れかの適切なサービス・パラメータ値を何れかの適切なネットワーク・パラメータ値にマッピングすることができる。
【００４６】
修正、追加又は省略を、本発明の範囲から逸脱することなくシステム１４０に行うことができる。システム１４０の構成部分は、特定のニーズによって一体化させても分けても良い。更に、システム１４０の動作を、より多くのモジュール、より少ないモジュール、又は他のモジュールによって行うことができる。更に、システム１４０の動作は、ソフトウェア、ハードウェア、他のロジック、又はそれらの何れかの適切な組み合わせを備える何れかの適切なロジックを用いて行うことができる。
【００４７】
図４は、レジリエント・パケット・リング（RPR）オーバーSONET伝送機構を用いたWAN側のアクセス・サービスにサービス・パラメータをマッピングする更に別の例示的なシステムを示す構成図である。WAN側は、802.17としてIEEE（米国電気電子技術者協会）によって策定されたレジリエント・パケット・リング（RPR）技術仕様によって動作することができる。このリングを用いて時分割多重（TDM）トラフィックを搬送することができる。図示した実施例によれば、システム２４０は、図示したように結合されたネットワーク・エレメント２４８、ポート・システム２５０，スイッチ２５４、及びネットワーク２５８を含み得る。
【００４８】
ネットワーク・エレメント２４８は、図１のネットワーク・エレメント１６と実質的に同様であり得る。ポート・システム２５０は、ＬＡＮ側機器をＷＡＮ側機器に結合するよう動作するインタフェースを表し得る。例として、ポート・システム２５０は、ＬＡＮ側ネットワーク・エレメント２４８をスイッチ２５４に結合するよう動作し得る。
【００４９】
ポート・システム２５０は、ＬＡＮ側機器をＷＡＮ側機器に結合するよう動作可能な構成部分を含み得る。図示した実施例によれば、ポート・システム２５０は、図示したように結合された1つ又は複数のローカル・エリア・ネットワーク（ＬＡＮ）ポート２６２、レイヤ２（Ｌ２）インタフェース（ＩＦ）２６６、システムＶインタフェース定義（ＳＶＩＤ）モジュール２７０、RPRポート２７６、及びRPRステーション２８０を含む。
【００５０】
ＬＡＮポート２６２は、図１のＬＡＮポート２０と実質的に同じであり得るものであり、イーサネット（登録商標）・ポートを備え得る。レイヤ２インタフェース２６４はデータ・リンク・レイヤ・インタフェースを表し得る。レイヤ２インタフェース２６４は、通信回線の管理（例えば、メッセージ・エラーの検出及び訂正を伴い得る）を行うよう動作し得る。システムＶインタフェース定義（ＳＶＩＤ）モジュール２７０は、別々のプラットフォーム間でソース・コード移植性を可能にするモジュールを表し得るものであり、図２のシステムVインタフェース定義（SVID）モジュール７０と実質的に同じであり得る。
【００５１】
WANポートは、RPRポート２７６を含む。RPRポート２７６は、レジリエント・パケット・リング・プロトコルによって動作し得る。ステーション２８０は、ネットワーク５８との間でパケットのアッド又はドロップを行うよう動作可能な構成部分を表し得る。一実施例によれば。ステーション２８０はRPRステーションを備え得るものであり、ネットワーク・エレメント２５０との間で追加又は取り外しを行うことができるカードに実施し得る。
【００５２】
ポート・システム２５０は、何れかの適切な組み合わせにおける、アグリゲーション・ポート・システム250a、トランク・ポート・システム250b、ポイント・ツー・ポイント・ポート・システム150c、又は別のポート・システムの1つ若しくは複数を含み得る。アグリゲーション・ポート・システム250a、トランク・ポート・システム250b、及びポイント・ツー・ポイント・ポート・システム250cは、図２のアグリゲーション・ポート・システム50a、トランク・ポート・システム50b、ポイント・ツー・ポイント・ポート・システム50cと実質的に同じであり得る。
【００５３】
スイッチ２５４は、RPRスパン252及びフレーム・オーバーSONET（FOS）ポート２５６を含む。RPRスパン２５２は、ファイバのスパンを備え得る。フレーム・オーバーSONETポート２５６は、RPRスパン２５２をネットワーク２５８に結合するよう動作可能なインタフェースを表し得る。ネットワーク２５８は、図１のネットワーク３２と実質的に同じであり得るものであり、光ネットワーク（例えば、ＳＯＮＥＴネットワーク）を備え得る。
【００５４】
動作の一実施例によれば、ポート・システム２５０を用いて、ＬＡＮ側機器からＷＡＮ側機器にサービスをマッピングすることができる。この実施例によれば、ＬＡＮポート２６２を作成することができる。ＳＶＩＤモジュール２７０を用いて、ＬＡＮ側サービス・パラメータ値をＷＡＮ側ネットワーク・パラメータ値にマッピングすることによってポート・システム１５０を構成することができる。ＲＰＲポート２７６などのＷＡＮポートを、ＳＶＩＤモジュール２７０とスイッチ２５４との間に作成することができる。リングをスイッチ２５４上に作成することができ、リングをネットワーク２５８にクロスコネクトすることができる。何れかの適切なパラメータを用いることができ、何れかの適切なサービス・パラメータを何れかの適切なネットワーク・パラメータ値にマッピングすることができる。
【００５５】
修正、追加又は省略を、本発明の範囲から逸脱することなくシステム２４０に行うことができる。システム２４０の構成部分は、特定のニーズによって一体化させても分けてもよい。更に、システム２４０の動作は、より多くのモジュール。より少ないモジュール、又は他のモジュールによって行うことができる。更に、システム２４０の動作は、ソフトウェア、ハードウェア、別のロジック、又はそれらの適切な組み合わせを備えた何れかの適切なロジックを用いて行うことができる。
【００５６】
本発明の特定の実施例は、技術上の1つ又は複数の利点を提供することができる。一実施例の技術上の利点は、サービス・パラメータを用いてサービスを伝送機構にマッピングすることができることであり得る。サービスのサービス・パラメータ値を伝送機構のネットワーク・パラメータ値にマッピングして伝送機構を介してサービスを提供することができる。同じパラメータ値を用いて、別々の伝送機構を介してサービスを提供することができる。よって、サービス・パラメータによって、サービスの効率的なマッピング及び再マッピングが可能になり得る。
【００５７】
この開示は、特定の実施例及び一般的に関連した方法によって説明したが、上記実施例及び方法の改変及び組み替えは当業者に明らかであろう。よって、例示的な実施例の前述の説明はこの開示を限定するものでない。他の変更、置換及び改変も、特許請求の範囲記載のこの開示の趣旨及び範囲から逸脱することなく可能である。
【００５８】
（付記１）  サービスを提供する方法であって、
サービスの1つ又は複数のサービス・パラメータ値を設定する工程であって、サービス・パラメータ値が前記サービスのメトリックを表す工程と、
前記1つ又は複数のサービス・パラメータ値を１つ又は複数の第１のネットワーク・パラメータ値にマッピングする工程であって、第１のネットワーク・パラメータ値が、第１の伝送機構の第１のワイド・エリア・ネットワーク・ポートを構成するよう動作可能である工程と、
前記サービスを前記第１の伝送機構を介して提供する工程と、
前記1つ又は複数のサービス・パラメータ値を１つ又は複数の第２のネットワーク・パラメータ値にマッピングする工程であって、第２のネットワーク・パラメータ値が、第２の伝送機構の第２のワイド・エリア・ネットワーク・ポートを構成するよう動作可能である工程と、
前記サービスを前記第２の伝送機構を介して提供する工程とを備えることを特徴とする方法。
【００５９】
（付記２）  請求項１記載の方法であって、前記1つ又は複数のサービス・パラメータ値を前記1つ又は複数の第１のネットワーク・パラメータ値にマッピングする工程が、
ネットワーク・パラメータ値に相当するサービス・パラメータ値を受ける工程と、
前記サービス・パラメータ値を前記ネットワーク・パラメータ値にリンクする旨のコマンドを実行する工程とを更に備えることを特徴とする方法。
【００６０】
（付記３）  請求項１記載の方法であって、前記1つ又は複数のサービス・パラメータ値を前記1つ又は複数の第１のネットワーク・パラメータ値にマッピングする工程が、
システムVインタフェース定義（SVID）モジュールを用いて前記1つ又は複数のサービス・パラメータ値をマッピングする工程を更に備えることを特徴とする方法。
【００６１】
（付記４）  請求項１記載の方法であって、前記1つ又は複数のサービス・パラメータ値を前記1つ又は複数の第１のネットワーク・パラメータ値にマッピングする工程が、
疑似ワイヤ・エミュレーション・モジュールを用いて前記1つ又は複数のサービス・パラメータ値をマッピングする工程を更に備えることを特徴とする方法。
【００６２】
（付記５）  請求項１記載の方法であって、前記第１の伝送機構を介して前記サービスを提供する工程が、
同期光ネットワーク（SONET）伝送機構を介して前記サービスを提供する工程を更に備えることを特徴とする方法。
【００６３】
（付記６）  請求項１記載の方法であって、前記第１の伝送機構を介して前記サービスを提供する工程が、
レジリエント・パケット・リング(RPR)オーバー同期光ネットワーク（SONET）伝送機構を介して前記サービスを提供する工程を更に備えることを特徴とする方法。
【００６４】
（付記７）  サービスを提供するシステムであって、
ローカル・エリア・ネットワークと通信するよう動作可能なインタフェースと、
該インタフェースに結合され、
サービスの1つ又は複数のサービス・パラメータ値を設定し、サービス・パラメータ値が前記サービスのメトリックを表し、
前記1つ又は複数のサービス・パラメータ値を１つ又は複数の第１のネットワーク・パラメータ値にマッピングし、第１のネットワーク・パラメータ値が、第１の伝送機構の第１のワイド・エリア・ネットワーク・ポートを構成するよう動作可能であり、
前記サービスを前記第１の伝送機構を介して提供し、
前記1つ又は複数のサービス・パラメータ値を１つ又は複数の第２のネットワーク・パラメータ値にマッピングし、第２のネットワーク・パラメータ値が、第２の伝送機構の第２のワイド・エリア・ネットワーク・ポートを構成するよう動作可能であり、
前記サービスを前記第２の伝送機構を介して提供するよう動作可能なプロセッサとを備えることを特徴とするシステム。
【００６５】
（付記８）  請求項７記載のシステムであって、前記プロセッサは、前記1つ又は複数のサービス・パラメータ値を前記1つ又は複数の第１のネットワーク・パラメータ値に、
ネットワーク・パラメータ値に相当するサービス・パラメータ値を受け、
前記サービス・パラメータ値を前記ネットワーク・パラメータ値にリンクする旨のコマンドを実行することによってマッピングするよう動作可能であることを特徴とするシステム。
【００６６】
（付記９）  請求項７記載のシステムであって、前記プロセッサは、前記1つ又は複数のサービス・パラメータ値を前記1つ又は複数の第１のネットワーク・パラメータ値に、
システムVインタフェース定義（SVID）モジュールを用いて前記1つ又は複数のサービス・パラメータ値をマッピングすることによってマッピングするよう動作可能であることを特徴とするシステム。
【００６７】
（付記１０）  請求項７記載のシステムであって、前記プロセッサは、前記1つ又は複数のサービス・パラメータ値を前記1つ又は複数の第１のネットワーク・パラメータ値に、
疑似ワイヤ・エミュレーション・モジュールを用いて前記1つ又は複数のサービス・パラメータ値をマッピングすることによってマッピングするよう動作可能であることを特徴とするシステム。
【００６８】
（付記１１）  請求項７記載のシステムであって、前記プロセッサは、前記第１の伝送機構を介して前記サービスを、
同期光ネットワーク（SONET）伝送機構を介して前記サービスを提供することによって提供するよう動作可能であることを特徴とするシステム。
【００６９】
（付記１２）  請求項７記載のシステムであって、前記プロセッサは、前記第１の伝送機構を介して前記サービスを、
レジリエント・パケット・リング(RPR)オーバー同期光ネットワーク（SONET）伝送機構を介して前記サービスを提供することによって提供するよう動作可能であることを特徴とするシステム。
【００７０】
（付記１３）  サービスを提供するロジックであって、該ロジックは媒体内に実施され、
サービスの1つ又は複数のサービス・パラメータ値を設定し、サービス・パラメータ値が前記サービスのメトリックを表し、
前記1つ又は複数のサービス・パラメータ値を１つ又は複数の第１のネットワーク・パラメータ値にマッピングし、第１のネットワーク・パラメータ値が、第１の伝送機構の第１のワイド・エリア・ネットワーク・ポートを構成するよう動作可能であり、
前記サービスを前記第１の伝送機構を介して提供し、
前記1つ又は複数のサービス・パラメータ値を１つ又は複数の第２のネットワーク・パラメータ値にマッピングし、第２のネットワーク・パラメータ値が、第２の伝送機構の第２のワイド・エリア・ネットワーク・ポートを構成するよう動作可能であり、
前記サービスを前記第２の伝送機構を介して提供するよう動作可能であることを特徴とするロジック。
【００７１】
（付記１４）  請求項１３記載のロジックであって、前記1つ又は複数のサービス・パラメータ値を前記1つ又は複数の第１のネットワーク・パラメータ値に、
ネットワーク・パラメータ値に相当するサービス・パラメータ値を受け、
前記サービス・パラメータ値を前記ネットワーク・パラメータ値にリンクする旨のコマンドを実行することによってマッピングするよう動作可能であることを特徴とするロジック。
【００７２】
（付記１５）  請求項１３記載のロジックであって、前記1つ又は複数のサービス・パラメータ値を前記1つ又は複数の第１のネットワーク・パラメータ値に、
システムVインタフェース定義（SVID）モジュールを用いて前記1つ又は複数のサービス・パラメータ値をマッピングすることによってマッピングするよう動作可能であることを特徴とするロジック。
【００７３】
（付記１６）  請求項１３記載のロジックであって、前記1つ又は複数のサービス・パラメータ値を前記1つ又は複数の第１のネットワーク・パラメータ値に、
疑似ワイヤ・エミュレーション・モジュールを用いて前記1つ又は複数のサービス・パラメータ値をマッピングすることによってマッピングするよう動作可能であることを特徴とするロジック。
【００７４】
（付記１７）  請求項１３記載のロジックであって、前記第１の伝送機構を介して前記サービスを、
同期光ネットワーク（SONET）伝送機構を介して前記サービスを提供することによって提供するよう動作可能であることを特徴とするロジック。
【００７５】
（付記１８）  請求項１３記載のロジックであって、前記第１の伝送機構を介して前記サービスを、
レジリエント・パケット・リング(RPR)オーバー同期光ネットワーク（SONET）伝送機構を介して前記サービスを提供することによって提供するよう動作可能であることを特徴とするロジック。
【００７６】
（付記１９）  サービスを提供するシステムであって、
サービスの1つ又は複数のサービス・パラメータ値を設定する手段であって、サービス・パラメータ値が前記サービスのメトリックを表す手段と、
前記1つ又は複数のサービス・パラメータ値を１つ又は複数の第１のネットワーク・パラメータ値にマッピングする手段であって、第１のネットワーク・パラメータ値が、第１の伝送機構の第１のワイド・エリア・ネットワーク・ポートを構成するよう動作可能である手段と、
前記サービスを前記第１の伝送機構を介して提供する手段と、
前記1つ又は複数のサービス・パラメータ値を１つ又は複数の第２のネットワーク・パラメータ値にマッピングする手段であって、第２のネットワーク・パラメータ値が、第２の伝送機構の第２のワイド・エリア・ネットワーク・ポートを構成するよう動作可能である手段と、
前記サービスを前記第２の伝送機構を介して提供する手段とを備えることを特徴とするシステム。
【００７７】
（付記２０）  サービスを提供する方法であって、
サービスの1つ又は複数のサービス・パラメータ値を設定する工程であって、サービス・パラメータ値が前記サービスのメトリックを表す工程と、
前記1つ又は複数のサービス・パラメータ値を１つ又は複数の第１のネットワーク・パラメータ値にマッピングする工程であって、第１のネットワーク・パラメータ値が、第１の伝送機構の第１のワイド・エリア・ネットワーク・ポートを構成するよう動作可能であり、前記1つ又は複数のサービス・パラメータ値を前記１つ又は複数の第１のネットワーク・パラメータ値にマッピングする工程が、
ネットワーク・パラメータ値に相当するサービス・パラメータ値を受ける工程と、
前記サービス・パラメータ値を前記ネットワーク・パラメータ値にリンクする旨のコマンドを実行する工程と、
システムVインタフェース定義（SVID）モジュールを用いて前記1つ又は複数のサービス・パラメータ値をマッピングする工程と、
疑似ワイヤ・エミュレーション・モジュールを用いて前記1つ又は複数のサービス・パラメータ値をマッピングする工程とを更に備える工程と、
前記第１の伝送機構を介して前記サービスを提供する工程であって、前記第１の伝送機構を介して前記サービスを提供する工程が、
同期光ネットワーク（SONET）伝送機構を介して前記サービスを提供する工程と、
レジリエント・パケット・リング(RPR)オーバー同期光ネットワーク（SONET）伝送機構を介して前記サービスを提供する工程とを更に備える工程と、
前記1つ又は複数のサービス・パラメータ値を１つ又は複数の第２のネットワーク・パラメータ値にマッピングする工程であって、第２のネットワーク・パラメータ値が、第２の伝送機構の第２のワイド・エリア・ネットワーク・ポートを構成するよう動作可能である工程と、
前記サービスを前記第２の伝送機構を介して提供する工程とを備えることを特徴とする方法。
【図面の簡単な説明】
【００７８】
【図１】サービスが伝送機構にマッピングされる、システムの一実施例を示す構成図である。
【図２】同期光ネットワーク（SONET）プロトコルを用いたアクセス・サービスにサービスをマッピングするシステム例を示す構成図である。
【図３】疑似ワイヤ・エミュレーション（PWE）オーバーSONETプロトコルを用いたアクセス・サービスにサービスをマッピングする別のシステム例を示す構成図である。
【図４】レジリエント・パケット・リング（RPR）オーバーSONETプロトコルを用いたアクセス・サービスにサービスをマッピングする更に別のシステム例を示す構成図である。
【符号の説明】
【００７９】
10  システム
12  LAN側
14  WAN側
16  ネットワーク・エレメント
20  LANポート
24  マッピング・モジュール
28  WANポート
30  ファイバ
32a  ネットワークA
32b  ネットワークB
【図１】
2007116705.tif 000003
【図２】
2007116705.tif 000004
【図３】
2007116705.tif 000005
【図４】
2007116705.tif 000006